(57)【要約】【課題】  高密度のディスク状記録媒体を早送り・巻き戻し再生するときの経過時間表示を連続的とし、よってユーザーがある程度任意の位置から再生再開を行える再生装置を提供する。【解決手段】  第１又は第２の操作部が操作されたのに伴ってＤＲＡＭ１２に上記データを記憶する際には、上記データの上記圧縮方式、圧縮率に関する圧縮情報と、上記第１又は第２の操作部による操作であることを示す操作情報とを保持し、ＤＲＡＭ１２から上記データを再生するときには上記圧縮情報と操作情報から上記音データの最小単位をいくつづつインクリメント再生するかを決定し、上記表示時間発生手段は上記決定された最小単位のインクリメント数に基づいて上記第１又は第２の操作部の操作に応じた時間情報を発生する。【選択図】  図１
2005317121.tif 000002
【特許請求の範囲】
【請求項１】
圧縮方式によってデータの最小単位の再生時間が異なり、さらに圧縮率によって１ブロック当たりに含まれる上記データの最小単位が異なるデータをディスク状記録媒体から読み出す読み出し手段と、
上記読み出し手段により読み出されたデータが溜め込まれる記憶手段と、
早送り再生を指示する第１の操作部と、
早戻し再生を指示する第２の操作部と、
上記第１又は第２の操作部の操作に応じた時間情報を発生する表示時間発生手段とを備え、
上記第１又は第２の操作部が操作されたのに伴って上記記憶手段に上記データを記憶する際には、上記データの上記圧縮方式、圧縮率に関する圧縮情報と、上記第１又は第２の操作部による操作であることを示す操作情報とを保持し、上記記憶手段から上記データを再生するときには上記圧縮情報と操作情報から上記音データの最小単位をいくつづつインクリメント再生するかを決定し、
上記表示時間発生手段は上記決定された最小単位のインクリメント数に基づいて上記第１又は第２の操作部の操作に応じた時間情報を発生する
ことを特徴とする再生装置。
【発明の詳細な説明】
【技術分野】
【０００１】
本発明は再生装置に関し、例えばディスク状記録媒体よりオーディオ信号を、早送り再生又は早戻し再生する際の表示時間を発生して表示する再生装置に関する。
【背景技術】
【０００２】
現在、直径を略６４ｍｍとなし、例えば楽音信号で７４分以上の記録を可能となす記憶容量を備えている、小径の光ディスクが広く知られるようになった。この小径の光ディスクは、ミニディスクＭＤ（登録商標）と呼ばれ、ピットによりデータが記録されている再生専用型と、光磁気記録（ＭＯ）方式によりデータが記録されており再生も可能な記録再生型の２種類がある。以下の説明は、記録再生型の小径光ディスク（以下、光磁気ディスクという）に関する。上記光磁気ディスクは記録容量を上げるため、トラックピッチや、記録レーザ光の記録波長或いは対物レンズのＮＡ等が改善されてきている。
【０００３】
図７に示すように、トラックピッチ１．６μｍでグルーブ記録、また変調方式がＥＦＭである、初期の光磁気ディスクを第１世代ＭＤと記す。この第１世代ＭＤの物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式は、ディスク盤面上にシングルスパイラルのグルーブを形成し、このグルーブの両側に対してアドレス情報としてのウォブル（Wobble）を形成したウォブルドグルーブを利用する方式を採っている。なお、本明細書では、ウォブリングにより記録される絶対アドレスをＡＤＩＰ（Address in Pregroove）ともいう。この第１世代ＭＤは、記録データの変調方式として、ＥＦＭ（８−１４変換）変調方式が採用されている。また、誤り訂正方式としては、ＡＣＩＲＣ(Advanced Cross Interleave Reed-Solomon Code)を用いている。また、データインターリーブには、畳み込み型を採用している。これにより、データの冗長度は、４６．３％となっている。また、第１世代ＭＤにおけるデータの検出方式は、ビットバイビット方式であって、ディスク駆動方式としては、ＣＬＶ(Constant Linear Verocity)が採用されている。ＣＬＶの線速度は、１．２ｍ／ｓである。記録再生時の標準のデータレートは１３３ｋＢ／ｓ、記録容量は１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【０００４】
さらに、近年では、第１世代ＭＤよりもさらに記録容量を上げた高密度ＭＤが開発された。先ず、従来の媒体（ディスクやカートリッジ）はそのままに、変調方式や、論理構造などを変更してユーザエリア等を倍密度にし、記録容量を例えば３００ＭＢに増加したＭＤ（以下、高密度ＭＤ１という）が開発された。記録媒体の物理的仕様は、同一であり、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、第１世代ＭＤと同様である。この高密度ＭＤ１は、記録データの変調方式として、高密度記録に適合したＲＬＬ（１−７）ＰＰ変調方式（ＲＬＬ；Run Length Limited、ＰＰ：Parity preserve/Prohibit rmtr(repeated minimum transition runlength)）を採用している。また、誤り訂正方式としては、より訂正能力の高いＢＩＳ（Burst Indicator Subcode）付きのＲＳ−ＬＤＣ（Reed Solomon−Long Distance Code）方式を用いている。
【０００５】
さらに、高密度ＭＤとしては、高密度ＭＤ１より記録容量を増加した高密度ＭＤ３が、外形、光学系は互換性を保ちながらも、トラックピッチを１．２５μｍに狭め、かつ例えば前記グルーブから磁壁移動検出（Domain Wall Displacement Detection：ＤＷＤＤ）によって記録マークを検出する方式で開発された。この高密度ＭＤ３は、記録データの変調方式として、高密度記録に適合したＲＬＬ（１−７）ＰＰ変調方式（ＲＬＬ；Run Length Limited、ＰＰ：Parity preserve/Prohibit rmtr(repeated minimum transition runlength)）を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。ディスク駆動方式にはＺＣＡＶ方式を用い、その線速度は２．０ｍ／ｓとする。記録再生時の標準データレートは、９．８ＭＢ／ｓである。したがって、高密度ＭＤ３では、ＤＷＤＤ方式及びこの駆動方式を採用することにより、総記録容量を１ＧＢにできた。
【０００６】
ところで、従来の第１世代ＭＤでは、特開平６−１６２７４４号公報等に記載されているように、データ溜め込み最小単位が1sector（63.8ms@SP Mode）だったので、早送り・巻き戻しデータを溜め込むときにはその単位で溜め込んでいた。更に、経過時間表示は溜め込んだデータのアドレス情報から換算して行っているので、溜め込むときにそのセクタに対して擬似的にとびとびのアドレス情報を書いておくことで、再生するときにそのアドレスを経過時間に換算することで表示をとびとびにすることなく行えていた。
【０００７】
【特許文献１】特開平６−１６２７４４号公報
【発明の開示】
【発明が解決しようとする課題】
【０００８】
しかし、高密度ＭＤ１や高密度ＭＤ３のような高密度光磁気ディスクの場合にはデータの溜め込み最小単位が16Kbyteであり、これを時間に換算すると再生ビットレートによって最大15sec@32kbpsとなってしまう。再生の最小単位は1SF（46.4ms@ATRAC3plus/23.2ms@ATRAC3）なので早送り・巻き戻し再生としては実際に音を出すSF単位で管理すればよい（約800ms再生/約7.2sec飛ばし、の繰り返し）が、その再生SFに対して溜め込み時に従来の第１世代ＭＤのように擬似データを埋め込むことはできない。これをそのまま経過時間に換算して表示してしまうと、「00:00→00:07→00:14…」のように飛び飛びになってしまう。ユーザーは10秒のところから再生させるために早送り・巻き戻しをとめることができなくなってしまうという欠点もある。
【０００９】
本発明は、上記実情に鑑みてなされたものであり、高密度のディスク状記録媒体を早送り・巻き戻し再生するときの経過時間表示を連続的とし、よってユーザーがある程度任意の位置から再生再開を行える再生装置の提供を目的とする。
【課題を解決するための手段】
【００１０】
本発明に係る再生装置は、上記課題を解決するために、圧縮方式によってデータの最小単位の再生時間が異なり、さらに圧縮率によって１ブロック当たりに含まれる上記データの最小単位が異なるデータをディスク状記録媒体から読み出す読み出し手段と、上記読み出し手段により読み出されたデータが溜め込まれる記憶手段と、早送り再生を指示する第１の操作部と、早戻し再生を指示する第２の操作部と、上記第１又は第２の操作部の操作に応じた時間情報を発生する表示時間発生手段とを備え、上記第１又は第２の操作部が操作されたのに伴って上記記憶手段に上記データを記憶する際には、上記データの上記圧縮方式、圧縮率に関する圧縮情報と、上記第１又は第２の操作部による操作であることを示す操作情報とを保持し、上記記憶手段から上記データを再生するときには上記圧縮情報と操作情報から上記音データの最小単位をいくつづつインクリメント再生するかを決定し、上記表示時間発生手段は上記決定された最小単位のインクリメント数に基づいて上記第１又は第２の操作部の操作に応じた時間情報を発生する。
【００１１】
この再生装置によれば、高密度のディスク状記録媒体を再生するときに、圧縮データ（ATRAC3、ATRAC3plus）を早送り・巻き戻し再生を行っても経過時間表示をスムースに行える。
【発明の効果】
【００１２】
本発明に係る再生装置によれば、高密度のディスク状記録媒体を早送り・巻き戻し再生するときの経過時間表示を連続的とし、よってユーザーがある程度任意の位置から再生再開を行える。
【発明を実施するための最良の形態】
【００１３】
以下、本発明を実施するための最良の形態を説明する。図１は実施の形態の光磁気ディスク再生装置１の概略構成を示す図である。この光磁気ディスク再生装置１は、例えば高密度ＭＤ１や高密度ＭＤ３のような高密度ディスク２を再生する。
【００１４】
光磁気ディスク再生装置１は、高密度ＭＤ２に記録されている記録データを読み出すディスク読み出し部３と、ディスク読み出し部３により読み出された記録データが溜め込まれる、例えばリングバッファメモリであるＤＲＡＭ１２と、このＤＲＡＭ１２を制御するメモリコントローラ１５と、ＤＲＡＭ１２から再生されたデータをデコードするオーディオデコーダ１３とを備えて成る。
【００１５】
高密度ＭＤ３は、データの固まりをBlock（16Kbyte）で扱い、音データの最小単位をSF（Sound Frame）で扱うが、1SFあたりの再生時間は圧縮方式（Codec）によって異なり、ATRAC3plusの場合46.4ms/SF、ATRAC3の場合23.2ms/SF、LPCMの場合0.36ms/SFとなっている。
【００１６】
さらに、一つのCodec内でも圧縮率（Bitrate）が異なるものが存在するので1Block（16Kbyte）あたりに含まれるSF数は図２内のSF/1Blockのようになる。
【００１７】
一方、表示する場合は曲の先頭を0分0秒とし、1SF再生ごとにATRAC3plusであれば46.4ms加算する。例えば現在再生中のSFが曲の先頭から1,000SF目だとすると46.4ms×1,000=0分46秒と表示する。
【００１８】
そこで、早送り再生（CUE）の場合まずディスクから読み出してＤＲＡＭ１２に積むときにCodecによって図３のように飛び飛びに積む。図３は例えば64kbpsの場合のデータの積み方を示している。（ａ）はディスク上のデータ（ブロック）を示し、（ｂ）はＤＲＡＭ１２上への積み方を示している。ディスク上の1〜25のブロックのうち、ＤＲＡＭ１２へは、1,5,9,13,17,21,25ブロックを積んでいる。
【００１９】
再生するときには積まれたデータのCodec情報、CUEであるという情報から図２にしたがって何SF再生するかを決め、1SF再生するごとに通常は1SFインクリメントしていくSF値を例えばATRAC3plus 256kbpsの場合は9SFずつインクリメントして表示に渡す。
【００２０】
図４にはATRAC3plus 256kbpsの場合、同64kbpsの場合、LPCMの場合の例を示す。ATRAC3plus 256kbpsの場合、0〜17の18Block＝18×10SF＝180SFを20SFで再生するので180/20＝９SFを割り当てる。時間に換算すると、18Block＝18×10SF＝180SF＝8.35secを20SFで均等に表示するので8.35/20＝0.417sec/SFに割り当てる。
【００２１】
ATRAC3plus 64kbpsの場合、0〜3の4Block＝4×43SF/Block＝172SFを16SFで再生するので172/16≒10SFを割り当てる。時間に換算すると、4Block＝4×43SF＝172SF＝7.98secを16SFで均等に表示するので7.98/16＝0.498sec/SFに割り当てる。
【００２２】
LPCMの場合、0〜79の80Blockを8Blockで再生するので80/10≒8Blockを割り当てる。時間に換算すると、80Block＝80×0.093sec＝7.44secを8blockで均等に表示するので7.44/8＝0.92sec/Blockに割り当てる。
【００２３】
なお、LPCMの場合は1SFの再生時間が0.36ms、1Blockの再生時間が93msと短いので、Blockごと考えることになる（8Block〜2.88s〜再生して72Block〜25.9s飛ばす、の繰返し）。
【００２４】
以下に256kbpsの1SFあたりの表示用カウントアップSF数の計算の仕方を示す。図２から256kbpsの場合は20SF（2Block）再生して16Block（16Block）飛ばすことになる。つまり180SF（18Block×10SF/Block）を20SFで再生するので1SFインクリメントあたり180/20＝9SFずつカウントアップする。これを時間に換算すると本来1SF＝46.4msずつカウントアップされるところ、擬似的に417msごとにカウントアップされることになる。
【００２５】
このように光磁気ディスク再生装置１は、圧縮方式によってデータの最小単位の再生時間が異なり、さらに圧縮率によって１ブロック当たりに含まれる上記データの最小単位が異なるデータをディスク状記録媒体から読み出す光ディスク読み出し部３と、光ディスク読み出し部３により読み出されたデータが溜め込まれるＤＲＡＭ１２と、早送り再生を指示する第１の操作部（図５におけるプレイキー２１＋ＦＦキー２４）と、早戻し再生を指示する第２の操作部（図５におけるプレイキー２１とＦＲキー２５）と、第１又は第２の操作部の操作に応じた時間情報を発生する表示時間発生部（図５のシステムコントローラ１６）とを備え、第１又は第２の操作部が操作されたのに伴ってＤＲＡＭ１２に上記データを記憶する際には、上記データの上記圧縮方式、圧縮率に関する圧縮情報と、上記第１又は第２の操作部による操作であることを示す操作情報とを保持し、ＤＲＡＭ１２から上記データを再生するときには上記圧縮情報と操作情報から上記音データの最小単位をいくつづつインクリメント再生するかを決定し、上記表示時間発生手段は上記決定された最小単位のインクリメント数に基づいて上記第１又は第２の操作部の操作に応じた時間情報を発生する。この時間情報は、後述する図５の表示部に表示される。
【００２６】
図６は光磁気ディスク再生装置１の詳細な構成を示す図である。ディスク読み出し部３は、高密度ＭＤ２を回転させるためのスピンドルモータ４や、高密度ＭＤ２に記録されているデータを読み取るための光学ピックアップ５、光学ピックアップ５によって読み取られたデータからＲＦ信号、ＡＤＩＰ信号、トラッキングエラー信号、フォーカスエラー信号等を生成するＲＦアンプ６を備える。また、ＲＦアンプ６からのＲＦ信号に再生信号処理を施して、ＤＲＡＭ１２に供給する再生信号処理部９と、上記ＡＤＩＰからアドレスをデコードするアドレスデコーダ１０と、上記各エラー信号に基づいてトラッキングサーボ信号、フォーカスサーボ信号等のサーボ信号を生成してモータドライバ８に供給するサーボ回路７と、ドライブコントローラ１１を備える。
【００２７】
再生処理系としては、高密度ＭＤ２の再生時にＲＬＬ（１−７）ＰＰ変調に対応する復調（ＰＲ（１，−１）ＭＬ及びビタビ復号を用いたデータ検出に基づくＲＬＬ（１−７）復調）、ＲＳ−ＬＤＣデコードを行う部位とが設けられる。
【００２８】
光学ピックアップ５の高密度ＭＤ２に対するレーザ照射によりその反射光として検出された情報（フォトディテクタによりレーザ反射光を検出して得られる光電流）は、ＲＦアンプ６に供給される。ＲＦアンプ６では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（高密度ＭＤ２にトラックのウォブリングにより記録されているＡＤＩＰ情報）等を抽出する。
【００２９】
次世代ＭＤ２の再生時には、ＲＦアンプ６で得られた再生ＲＦ信号は、再生信号処理部９内のＡ／Ｄ変換回路、イコライザ、ＰＬＬ回路、ＰＲＭＬ回路を介して、ＲＬＬ（１−７）ＰＰ復調部及びＲＳ−ＬＤＣデコーダで信号処理される。再生ＲＦ信号は、ＲＬＬ（１−７）ＰＰ復調部において、ＰＲ（１，−１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダにて誤り訂正及びデインターリーブ処理される。そして、復調されたデータが高密度ＭＤ２からの再生データ（圧縮データ）としてＤＲＡＭ１２に出力される。
【００３０】
ＲＦアンプ６から出力されるトラッキングエラー信号ＴＥ、フォーカスエラー信号ＦＥは、サーボ回路７に供給され、グルーブ情報は、アドレスデコータ１０に供給される。
【００３１】
アドレスデコータ１０は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、高密度ＭＤ２アドレスとされてドライブコントローラ１１に供給される。
【００３２】
ドライブコントローラ１１では、ＡＤＩＰアドレスに基づいて、所定の制御処理を実行する。またグルーブ情報は、スピンドルサーボ制御のためにサーボ回路７に戻される。
【００３３】
サーボ回路７は、例えばグルーブ情報に対して再生クロック（デコード時のＰＬＬ系クロック）との位相誤差を積分して得られる誤差信号に基づき、ＺＣＡＶサーボ制御のためのスピンドルエラー信号を生成する。
【００３４】
またサーボ回路７は、スピンドルエラー信号や、上記のようにＲＦアンプ６から供給されたトラッキングエラー信号、フォーカスエラー信号、或いはドライブコントローラ１１を介したシステムコントローラ１６からのトラックジャンプ指令、アクセス指令等に基づいて各種サーボ制御信号（トラッキング制御信号、フォーカス制御信号、スレッド制御信号、スピンドル制御信号等）を生成し、モータドライバ８に対して出力する。すなわち、上記サーボエラー信号や指令に対して位相補償処理、ゲイン処理、目標値設定処理等の必要処理を行って各種サーボ制御信号を生成する。
【００３５】
モータドライバ８では、サーボ回路７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ４を駆動するスピンドルモータ駆動信号となる。このようなサーボドライブ信号により、高密度ＭＤ２に対するフォーカス制御、トラッキング制御、及びスピンドルモータ４に対するＺＣＡＶ制御が行われる。
【００３６】
ＤＲＡＭ１２は、ディスク読み出し部３から供給される圧縮データを保持し、これをバッファリングする。そして、バッファリングした圧縮データをシステムコントローラ１１からのコマンドによってメモリ制御を行うメモリコントローラ１５の制御の基にオーディオデコーダ１３に対して出力する。
【００３７】
オーディオデコーダ１３は、ＤＲＡＭ１２から入力された圧縮データについての伸長処理を行うことによりデジタルオーディオデータを生成する。そして、このように生成されたデジタルオーディオデータは出力端子１４から図示しないＡ／Ｄ変換器を介することによりアナログのオーディオ信号に変換され、オーディオ出力として再生出力される。
【図面の簡単な説明】
【００３８】
【図１】実施の形態の光磁気ディスク再生装置の概略構成を示す図である。
【図２】高密度ＭＤの圧縮情報を示す図である。
【図３】ディスクからＤＲＡＭへのデータの積み方を説明するための図である。
【図４】ATRAC3plus 256kbpsの場合、同64kbpsの場合、LPCMの場合の例を示す図である。
【図５】光磁気ディスク再生装置の操作部を示す図である。
【図６】光磁気ディスク再生装置の光ディスク読み出し部の詳細な構成を示す図である。
【図７】第１世代ＭＤ、高密度ＭＤ１、高密度ＭＤ３のディスク仕様を示す図である。
【符号の説明】
【００３９】
１  光磁気ディスク再生装置、２  光磁気ディスク、３  ディスク読み出し部、１２  ＤＲＡＭ、１５  メモリコントローラ
【図１】
2005317121.tif 000003
【図２】
2005317121.tif 000004
【図３】
2005317121.tif 000005
【図４】
2005317121.tif 000006
【図５】
2005317121.tif 000007
【図６】
2005317121.tif 000008
【図７】
2005317121.tif 000009